(57)【要約】  本発明は、ロック式スライド（７）を備える内部撃鉄式自動装弾ピストル（１）の分解時に撃針ばねの張力印加を防止するためのデバイスに関する。本デバイスは、分解位置とロック位置とを取ることができ、また本デバイスは：ばね加圧式撃針（１７）であって、逆鈎（１９）と動作可能に係合するためにばね加圧式撃針（１７）上に形成された突起（１７ａ）を有し、上記逆鈎（１９）は、針ばねをコッキングするためのコッキング位置において突起（１７ａ）の運動経路内に突出し、分解位置において突起（１７ａ）から係合解除される、ばね加圧式撃針（１７）；分解位置において逆鈎（１９）を突起（１７ａ）から係合解除する、引金に連結された引金バー（２７）を有する。本デバイスは：分解位置において引金（５）及びこれに伴って引金バー（２７）を前方へと移動させることができる分解シャフト（１５）；並びに引金バー（２７）に連結できる切断器バー（２１）であって、上記切断器バーには分解位置において、前方へと移動するロック式スライド（７）が衝突し、その結果、引金バー（２７）によって逆鈎（１９）が突起（１７ａ）から動作可能に係合解除される、切断器バー（２１）を特徴とする。本発明はまた、このようなデバイスを備える自動装弾ピストルにも関する。【選択図】図１４
2017501368.tif 000002
【特許請求の範囲】
【請求項１】
ロック式スライド（７）を備える内部撃鉄式自動装弾ピストル（１）の分解時に撃針ばねの張力印加を防止するためのデバイスであって、
前記デバイスは、分解位置とロック位置とを取ることができ、
前記デバイスは：
‐ばね加圧式撃針（１７）であって、逆鈎（１９）と動作可能に係合するために前記ばね加圧式撃針（１７）上に形成された突起（１７ａ）を有し、前記逆鈎（１９）は、前記撃針ばねをコッキングするための前記ロック位置において前記突起（１７ａ）の運動経路内に突出し、前記分解位置において前記突起（１７ａ）から係合解除される、ばね加圧式撃針（１７）；
‐前記分解位置において前記逆鈎（１９）を前記突起（１７ａ）から係合解除する、引金に連結された引金バー（２７）
を有する、デバイスにおいて、
前記デバイスは：
‐前記分解位置において前記引金（５）及びこれに伴って前記引金バー（２７）を前方へと移動させることができる分解シャフト（１５）；並びに
‐前記引金バー（２７）に連結できる切断器バー（２１）であって、前記切断器バーには前記分解位置において、前方へと移動する前記ロック式スライド（７）が衝突し、その結果、前記引金バー（２７）によって前記逆鈎（１９）が前記突起（１７ａ）から動作可能に係合解除される、切断器バー（２１）
を特徴とする、デバイス。
【請求項２】
前記引金（５）上に停止部材（３５）が設けられ、
前記分解シャフト（１５）は、直径が減少したセクション（２３ａ）を有し、
前記セクション（２３ａ）は、前記分解シャフト（１５）の回転時に、前記分解位置において前記停止部材（３５）を受承する、請求項１に記載のデバイス。
【請求項３】
前記直径が減少したセクション（２３ａ）は、くさび形の陥凹部（２３）であり、前記陥凹部（２３）は、前記ロック位置において、前記停止部材（３５）の、従って前記引金（５）及び前記引金バー（２７）の、前方への移動を防止する、請求項２に記載のデバイス。
【請求項４】
前記引金バー（２７）の前方への移動により、前記引金バー（２７）と前記切断器バー（２１）及び前記逆鈎（１９）とのエネルギ的係合が可能となる、請求項１〜３のいずれか１項に記載のデバイス。
【請求項５】
前記引金バー（２７）は、前記エネルギ的係合のための少なくとも１つのタブ（２９、３１）を備える、請求項４に記載のデバイス。
【請求項６】
前記逆鈎（１９）は、前記引金バー（２７）と動作可能に係合するための突出部（１９ａ）を有する、請求項４又は５に記載のデバイス。
【請求項７】
前記切断器バー（２１）は、陥凹部（２４）において前記引金バー（２１）と動作可能に係合するための段差（２５）を有する、請求項４〜６のいずれか１項に記載のデバイス。
【請求項８】
前記切断器バー（２１）は、前記ロック式スライド（７）に対面する側に隆起部（３３）を有し、移動する前記ロック式スライド（７）の下側外形によって前記ロック式スライド（７）に衝突できる、請求項１〜７のいずれか１項に記載のデバイス。
【請求項９】
前記ロック式スライド（７）は、下側に第１の陥凹部（８ａ）を備え、
前記第１の陥凹部（８ａ）は、ロックが閉鎖された場合、前記切断器バー（２１）の前記隆起部（３３）と動作可能に係合できる、請求項８に記載のデバイス。
【請求項１０】
前記ロック式スライド（７）は、下側に少なくとも第２の陥凹部（８）を備え、
前記第２の陥凹部（８）は、スライド受承位置において、前記切断器バー（２１）の前記隆起部（３３）と動作可能に係合できる、請求項９に記載のデバイス。
【請求項１１】
前記分解シャフト（１５）が前記分解位置にある場合、前記ロック式スライド（７）の下側の非陥凹領域（８ｂ）は、スライド受承位置からの前方への移動時に前記切断器バー（２１）を下向きに押圧し、
このプロセスにおいて、前記切断器バーは前記引金バー（２７）と締り嵌め又はエネルギ的係合した状態となり、前記引金バーを前記逆鈎（１９）と締り嵌め又はエネルギ的係合した状態とし、
前記引金バー（２７）は、前記逆鈎（１９）を前記撃針（１７）の運動経路外へと移動させる、請求項１〜１０のいずれか１項に記載のデバイス。
【請求項１２】
解放爪（４５）を有し、
前記解放爪（４５）は、前記引金（５）の作動時に前記引金バー（２７）と連結し、前記逆鈎（１９）を前記突起（１７ａ）から係合解除して、弾丸を排出させることができる、請求項１〜１１のいずれか１項に記載のデバイス。
【請求項１３】
請求項１〜１２のいずれか１項に記載の、分解のための撃針防止デバイスを有する、自動装弾ピストル。
【発明の詳細な説明】
【技術分野】
【０００１】
本発明は、撃針ばね張力印加防止デバイスに関し、より正確には、ロック式スライドを備える内部撃鉄式自動装弾ピストルの分解時に撃針ばねの張力印加を防止するためのデバイスに関する。このようなデバイスは、ロック位置又は撃発準備位置と分解位置とを取ることができ、またばね加圧式撃針を有し、このばね加圧式撃針は、逆鈎と動作可能に係合するためにばね加圧式撃針上に形成された突起を有し、上記逆鈎は、撃針ばねをコッキングするための撃発準備位置において、上記突起の運動経路内に突出し、分解位置において上記突起から係合解除され、またこのデバイスは、分解位置において逆鈎を上記突起から係合解除する、引金に連結された引金バーを有する。
【０００２】
本発明はまた、このようなデバイスを備える自動装弾ピストルにも関する。
【０００３】
本文書において、「上（ａｂｏｖｅ）」、「下（ｂｅｌｏｗ）」、「前方（ｆｒｏｎｔ）」「後方（ｒｅａｒ）」等の位置に関する用語は常に、長手方向軸が水平になった通常発砲位置に自動装弾ピストルを保持する射手から見てのものである。
【背景技術】
【０００４】
当該ピストルの分解時に撃針ばねの張力印加を防止するためのデバイスを有する、自動装弾ピストルは、異なる複数の設計において公知である。このようなデバイスは、例えば自動装弾ピストルの清掃又は自動装弾ピストルの技術的条件を検査するための自動装弾ピストルの分解時の、偶発的な発砲を防止するために機能する。コッキング解除レバー等の追加のコントローラを介して、又は単に引金を作動させて引金系をトリガすることによって、引金系をコッキング解除することも公知である。
【０００５】
更に、内部撃鉄式自動装弾ピストル（撃針ロックを有するピストルとも呼ばれる）が公知である。これらのピストルのシリンダのコッキング及び回転時、ロック式スライドはその後方位置から解放され、リコイルスプリングがロック式スライドを前方に駆動する。このプロセスにおいて、グリップ内の逆鈎（引金レバーとも呼ばれる）が撃針を受承し、従って撃針はロック式スライドと共に前方へ滑動できない。このプロセスにおいてロック式スライドを前進させることにより、ロック式スライド内で撃針ばねが圧縮される。射手がグリップ内で引金機構を作動させると、引金機構は、予備応力が印加された撃針を解放する。その一方で、ダブルアクション式引金系では、引金の作動は、撃針の解放に加えて、完全に又は部分的に撃針ばねに張力を印加できる。
【０００６】
このような内部撃鉄式自動装弾ピストルを分解するために、射手は通常、グリップの本体においてピストルを片手で保持し、もう一方の手でロック式スライド又はロックの上側部分を上から把持する。そして射手は、スライド受承レバーがロック式スライドをそのスライド受承位置において受承する、即ち保持するまで、ロック式スライドを、グリップ内に配設されたリコイルスプリングのばね力に対向して後方へと引く。薬室内にある実包は、ロック式スライドを引き込むと蹴筒されることになる。
【０００７】
ロック式スライドの受承位置において、外側ハンドルによって、分解レバー又は分解シャフトをそのロック位置から分解位置へと回転させることができる。分解シャフトはそのロック位置において、砲身を取り外すことができないよう、砲身の下側の突起をブロックする。分解位置では、この突起は分解シャフト上を滑動でき、ピストルは通常の方法で分解できる。スライド受承レバーの作動によるロック式スライドの解放後、ロック式スライドを、砲身及びリコイルスプリングと共に前方へと引くことができる。
【０００８】
弾倉が装弾された状態で、対応する安全デバイスを用いずに内部撃鉄式ピストルを分解すると、弾倉からの実包が薬室に供給され、撃針ばねに張力が印加される。即ち、ロック式スライドを引き込むと、ロック式スライドは弾倉を横切って滑動し、弾倉の上側の空間を解放する。そして弾倉ばねは、弾倉からの実包を、ロック式スライドの運動経路へと上方に押す。ロック式スライドがその受承位置から前進する、又はガイドされて前方へ摺動すると、ロック式スライドは、リコイルスプリングのばね力によって駆動されて、実包とその下側、より正確には実包底部において係合し、実包を薬室内へと前方に押す。分解時に撃針ばねの張力印加を防止するためのデバイスが存在しない場合、逆鈎は、ロック式スライドの前方への運動中、撃針を受承及び保持する。続いて、前方へ滑動し続けているロック式スライドは、撃針ばねに張力を印加する。ユーザが引金を押圧し、撃針を解放することによって、逆鈎を前方へとロック解除し、スライドを取り外すと、分解時に不注意によって発砲がトリガされる。
【０００９】
特許文献１は、引金機構を有する内部撃鉄式自動装弾ピストルを開示しており、ここで撃発準備位置において、受承部材は、撃針上に形成された受承用突出部の運動経路内へと突出する。受承部材は、ハンドルの後部に設けられたインサートの上側に形成される。このインサートは、ばね加圧式の爪を備え、これは後方へと横断する楕円形の孔内でピンによってガイドされる。
【００１０】
シリンダのコッキング及び回転中、受承用突出部が受承部材を横切って滑動できるまで、ばねの力に対向して爪を後方へと下向きに押圧するプロセスにおいて、ロック式スライドが後方に移動すると、受承用突出部は受承部材に衝突する。これに続いて、リコイルスプリングがロック式スライドをその後方位置から解放することによって、ロック式スライドが前方に移動すると、受承部材は受承用突出部を受承及び保持し、これによって、前方へ移動し続けているロック式スライドは、撃針ばねに予備張力を印加する。そしてピストルは発砲準備状態となる。
【００１１】
引金を作動させると、引金のレールは爪に衝突し、受承部材が受承用突出部から係合解除されて撃針を解放するまで、爪を後方へと下向きに押圧し、これにより発砲が行われる。これに続いてロック式スライドが戻るように滑動すると、爪はその撃発準備位置へと戻るように旋回する。
【００１２】
ピストルの分解のために制御レバーが設けられ、その外側ハンドルを分解位置へと回転させることができる。このプロセスにおいて、ピンが爪の楕円形の孔のうちの１つへと降下することにより、爪及び受承部材が受承用突出部の運動経路から外へと移動する。組み付け解除レバーによってボルトを引いた後、ロック式スライドを前方へと引くことができる。
【００１３】
特許文献２は、撃針ばねに張力を印加することなく手持ち式銃火器を分解するための、更なる機構を開示している。この機構の撃発準備位置では、引金バーは撃針上の突起の運動経路内へと突出し、上記突起を受承及び保持する。偏心して設置された分解レバーと、上記分解レバーによって水平に移動させることができる引金バー受承レバーとが、ばね加圧式引金バー受承部材を作動させるために設けられる。分解レバーの回転時、分解レバーは引金バー受承レバーを後方へと移動させ、このプロセス中に引金バー受承レバーは回転し、これにより引金バー受承レバーは引金バーも撃針も受承せず、その代わりに撃針上の突起の運動経路外に保持される。こうしてスライドは、撃針ばねに張力を印加することなく、グリップから前方へと移動できる。
【先行技術文献】
【特許文献】
【００１４】
【特許文献１】欧州特許第１０２２５３５Ａ２号
【特許文献２】欧州特許第２２９４３５２Ａ２号
【発明の概要】
【発明が解決しようとする課題】
【００１５】
本発明は、自動装弾ピストルの分解時に撃針ばねの張力印加を防止するための異なる複数のデバイス、及び上記デバイスを備える自動装弾ピストルを提供するという課題に対処する。
【課題を解決するための手段】
【００１６】
この課題は、独立請求項１、１３の主題によって解決される。
【００１７】
請求項１によると、上記デバイスは一般に、以下の特徴部分を有する：分解位置において引金及びこれに伴って引金バーを前方へと移動させることができる分解シャフト；引金バーに連結できる切断器バー。上記切断器バーには分解位置において、前方へと移動するロック式スライドが衝突し、その結果、引金バーによって逆鈎が突起から動作可能に係合解除される。
【００１８】
カテゴリを定義する請求項１３の自動装弾ピストルは、請求項１〜１２のいずれか１項に記載のデバイスを備えることを特徴とする。
【００１９】
従って本発明のピストルの組み付け解除は、分解シャフトが分解位置にあることによって逆鈎が撃針上の突起の運動経路領域から移動する際にのみ可能となる。よってこのデバイスは危険のない分解を保証する。というのは分解位置において撃針ばねはコッキングされず、従って弾丸も排出できないためである。更に分解は、ユーザがデバイスの動作機構を、以下の複数の順次ステップで意識的に解放した場合にのみ可能となる：１、弾倉を取り外すステップ；２、ロックを引き戻し、スライド受承レバーを手動で係合するステップ；３：分解のために分解シャフトを回転させるステップ；４、ロックを保持してスライド受承レバーを解放するステップ；５、ロックを砲身及びリコイルスプリングと共に前方へとガイドして除去することにより、偶発的な分解を防止するステップ。更に、ピストルの組み立てはこれらのステップの逆の順序で行われる。
【００２０】
塵芥に影響されない並進運動又は垂直運動する構成部品を用いた、比較的単純でロバストな技術により、本デバイスは故障しにくくなる。これは、外部からの厳しい機械的負荷がある場合にも当てはまり、これによって自動装弾ピストルの機能的安全性及び信頼性が得られる。
【００２１】
好ましくは、デバイスの引金上に停止部材が設けられ、分解シャフトは好ましくはくさび形の陥凹部又は直径が減少したセクションを有し、引金の停止部材は、分解位置において、回転した分解シャフトによって、ばねで加圧された状態で上記セクション上に静置される（請求項２）。
【００２２】
分解シャフトの直径が減少したセクションにおける、引金上の停止部材のばね加圧による配置は、恒久的なものであり、上記減少した直径は連続的に傾斜したガイドを形成し、これは上記シャフトの分解方向に下降して上記シャフトのロック方向に上昇し、これにより引金及び引金バーは、シャフトの分解方向において前方へと移動し、シャフトのロック方向において後方へと移動する。
【００２３】
分解シャフトは好ましくは、そのロック位置において、上記停止部材の、従って引金及び引金バーの、前方への移動を防止する（請求項３）。
【００２４】
製造技術に関する簡単なある実施形態では、分解シャフトは直径が比較的大きい領域を備え、そのロック位置において回転した分解シャフトにより、停止部材に対面し、従って停止部材の前方への運動をブロックする。よって、逆鈎が撃針上の上記突起の運動領域内にあるため、分解シャフトはそのロック位置において、自動装弾ピストルの撃針ばねの張力印加を保証する。
【００２５】
好ましくは、引金バーの前方への移動により、引金バーと切断器バー及び逆鈎とのエネルギ的係合が可能となる（請求項４）。
【００２６】
この目的のために、引金バーは少なくとも１つの作用要素を備えることができ、これは切断器バーと動作可能に係合する。
【００２７】
引金バーは、例えば突出部、スピゴット又は別の実装部分とのエネルギ的係合のために好適なジオメトリを備えることができる。
【００２８】
好ましくは、引金バーは、上記エネルギ的係合のための少なくとも１つのタブを備える（請求項５）。
【００２９】
タブは、製造技術によって、例えば引金バーの一部の成形によって容易に提供できる。引金バーと切断器バーとを並列に配設する場合、タブは切断器バーを下から把持できる。また、第２のタブを、逆鈎と動作可能に係合するよう設計できる。出願人はこのような引金バーに関する独立した保護を請求する権利を保有する。
【００３０】
好ましくは、逆鈎は、引金バーと動作可能に係合するための突出部を有する（請求項６）。
【００３１】
突出部は、逆鈎上に配設された又は逆鈎に挿入された、例えばスピゴット、ピン若しくはボルトとして、又は好適なジオメトリを有する別の実装部分としても、設けることができる。引金バーは第２の作用要素、例えば第２のタブを備えることができ、これは突出部と動作可能に係合できる。運動に関して上述の構成部品は単純に相互作用する。
【００３２】
好ましくは、切断器バーは、陥凹部において引金バーと動作可能に係合するための段差を備える（請求項７）。
【００３３】
陥凹部及び段差は、例えば孔開け、フライス削り又はその他の簡単な手段で製造できる。引金バーのタブは陥凹部において係合する。
【００３４】
好ましくは、切断器バーは、ロック式スライドに対面する側に隆起部を備え、移動するロック式スライドの下側外形によってロック式スライドに衝突できる（請求項８）。
【００３５】
この方法は、ロック式スライドの下側と隆起部とが動作可能に係合した場合にのみ作動が可能となる、効果的な制御カムを、機械的に単純な手段で提供する。
【００３６】
好ましくは、ロック式スライドは、その下側に第１の陥凹部を備え、これは閉鎖されたロックによって、切断器バーの隆起部と動作可能に係合できる（請求項９）。
【００３７】
好ましくは、ロック式スライドは、その下側に少なくとも第２の陥凹部を備え、これはそのスライド受承位置において、切断器バーの隆起部と動作可能に係合できる（請求項１０）。
【００３８】
第１及び第２の陥凹部はそれぞれ、切断器バーの隆起部が陥凹部のうちの１つの中へと沈み込む際の、切断器バーの衝突を防止する。
【００３９】
好ましくは、ロック式スライドの下側の非陥凹領域は、そのスライド受承位置からの前方への移動時に切断器バーを下向きに押圧し、このプロセスにおいて上記切断器バーは引金バーと締り嵌め又はエネルギ的係合した状態となり、上記引金バーを逆鈎と締り嵌め又はエネルギ的係合した状態とし、そして引金バーは、逆鈎を撃針の運動経路外へと移動させる（請求項１１）。
【００４０】
好ましくは、本デバイスは解放爪を備え、これは引金の作動時に引金バーと連結し、逆鈎を突起から係合解除して、弾丸を排出させることができる（請求項１２）。
【００４１】
この方法により、撃発準備位置での発砲が保証される。
【００４２】
本発明の例示的実施形態について、添付した概略図を参照して以下に詳細に説明する。
【図面の簡単な説明】
【００４３】
【図１】図１は、自動装弾ピストル及びこの自動装弾ピストルから取り外された弾倉の側面図である。
【図２】図２は、ロック式スライドがそのスライド受承位置に引き込まれ、分解シャフトがそのロック位置にある、図１による自動装弾ピストルを示す。
【図３】図３は、分解シャフトが分解位置にある、図２による自動装弾ピストルを示す。
【図４】図４は、砲身及びリコイルスプリングを有するロック式スライドと、グリップとに分解された、自動装弾ピストルを示す。
【図５】図５は、撃針が逆鈎に受承され、撃針ばねがコッキングされ、引金が固定及びコッキング解除された状態の、図１〜４による自動装弾ピストルの断面図である。
【図６】図６は、撃針の解放時に引金が押圧された状態の、図５による自動装弾ピストルの引金機構の一部の側面図である。
【図７】図７は、撃針の解放時に引金が押圧された状態の、図５による自動装弾ピストルの引金機構の一部の、ある角度での後方上側からの図である。
【図８】図８は、撃針の空撃ち後に撃針ばねがコッキング解除され、引金がコッキング解除された状態の、図５による自動装弾ピストルの部分断面図である。
【図９】図９は、ロック式スライドのセクションを含む、図１〜８による自動装弾ピストルの引金機構の側面図である。
【図１０】図１０は、ロック式スライドを含まない、図９による引金機構の、ある角度での上側からの部分斜視図である。
【図１１】図１１は、図１０と同様の、ある角度での後方上側から、かつ左側からの図である。
【図１２】図１２は、引き込まれたロック式スライドがスライド受けによって受承されている状態の、図９からの引金機構の一部の側面図である。
【図１３】図１３は、ロック式スライドを含まない、図１２からの引金機構の、ある角度での上側からの斜視図である。
【図１４】図１４は、回転した分解シャフトが分解位置かつ引金ばねの上方にあり、ばね３７が引金によって前方に移動された状態の、引金バーを含む、図１２からの引金機構の側面図である。
【図１５】図１５は、図１４からの引金機構の、ある角度での上側からの斜視図である。
【図１６】図１６は、ロック式スライドが部分的に前方にガイドされている、図１４からの引金機構の側面図である。
【図１７】図１７は、ロック式スライドを含まない、図１６からの引金機構のある角度での上側からの斜視図である。
【発明を実施するための形態】
【００４４】
図１〜４は、内部撃鉄式自動装弾ピストル１の分解の機能的順序を示し、図５〜８は、弾丸の発砲前、発砲中及び発砲後の、ピストル１の独立した要素を示す。ピストル１の分解中に撃針ばねの張力印加を防止するためのデバイスの構造及び機能を、図９〜１７の助けを借りて説明する。
【００４５】
図１は、組み立てられた状態ではあるが弾倉３が取り外された状態の自動装弾ピストル１の外面図である。自動装弾ピストル１は、グリップ２と、砲身９を取り囲むロック式スライド７とを備える。図５〜１７に示す引金機構は、引金５によって公知の様式で作動させることができる。外側ハンドル１５ａを用いて、ここでは図示されておらず図９〜１７に図示されている、グリップ２内に配設された分解シャフト１５を、ロック位置又は分解位置に回転させることができる。
【００４６】
ハンドル１５ａは、ロック位置（撃発準備位置とも呼ばれる）において、水平に後方を向いている。本プロセス中、特にこのハンドル１５ａは、砲身９の下側の突起１２をブロックし（図４参照）、これによって砲身９の取り外しを防止する。分解位置では、ハンドル１５ａは下方を向く（図３、４参照）。この位置では、突起１２が分解シャフト１５上を滑動できるため、砲身９及びロック式スライド７、並びにリコイルスプリング組立体３９を、それ自体公知のスライド受承レバー１０から前方へと引くことができる。このような分解シャフトは例えば、同一出願人による独国特許第１０２０１３０１０９６９．８号に記載されており、本出願では上記特許を明らかに参照する。
【００４７】
スライド受承レバー１０は、ロック式スライド７を公知の様式でそのスライド受承位置に受承及び保持する（図２参照）。ロック式スライドの下側には半円状の陥凹部６が設けられ、これは、スライド受承位置においてのみ、及び弾倉３が既に取り外されている場合のみ、分解シャフト１５のコッキング又は分解位置への回転が可能となるように位置決めされる。
【００４８】
図２は、スライド受承レバー１０によって保持された、開放されたスライド受承位置において、ロック式スライド７が引き込まれている、自動装弾ピストル１を示す。ロック式スライド７がそのスライド受承位置において引き込まれると、薬室内に残っているいずれの実包が蹴筒される。分解シャフト１５はそのロック位置にある。
【００４９】
図３の図では、分解シャフト１５は、ここでは下を向いているハンドル１５ａによって時計回り方向に回転される。これは、分解シャフト１５がロック式スライドの下側の半円状の陥凹部６内にあるスライド受承位置においてのみ可能であり、更に弾倉が取り外されている、即ち弾倉コンパートメントが空である場合にのみ可能である。
【００５０】
図５は、撃針を解放して発砲する前に、撃針がコッキングされた状態の、ピストル１を示す。公知のように、発砲のために以下の要素が設けられる：引金５；引金安全装置５ｅ；引金５に連結された引金バー２７；解放爪４５（図６、７参照）；逆鈎１９；突起１７ａを有する撃針１７；ロック式スライド７。これらの構成部品の構造及びこれらの相互作用について以下に説明する。
【００５１】
引金５は、引金シャフト５ａ周囲で枢動可能に設置され、捩りばね５ｂ（図７参照）及びばね３７（図１１参照）によって、図５に示す静置位置において予備応力を印加される。引金５はその後側に突起５ｃ（特に図９を参照）を備える。この突起５ｃは、グリップの引金開口を介した汚れ及び異物の進入をより困難にするためのカバーとして機能する。
【００５２】
引金バー２７はその前端部において、引金バー支持軸として作用しかつ引金５を発砲方向に対して横断方向に移動させるピン５ｄを介して、引金５と運動可能に連結され、またピン５ｄの周りで枢動可能に設置される。引金バー２７はその下側のおおよそ中央において、二重湾曲（ミミズ状湾曲）ばね３７を用いて、グリップ２内の支持体に公知の様式で連結される（図６、７参照）。グリップ２内の引金バー支持体は、図９、１２、１４に概略的に図示されている。このばねにより、引金バー２７の垂直運動及び並進運動、並びに引金５の静置位置への運動が容易になる。引金バー２７はその後端部に、右側に形成された下側タブ２９を備え、またその上端部に、左側に形成された上側タブ３１を備える。タブ２９、３１の機能については後で説明する。
【００５３】
引金は安全ラッチ５ｅも備え、これは引金を、重力又は衝撃による加速時の上記引金の偶発的な解放から、公知の様式で保護する。この安全ラッチ５ｅもまた、引金内において引金バー支持軸５ｄ上に設置され、引金の作動時にはこの軸の周りで、図示されていない引金内のばねに対向して自動的に旋回し、その結果、引金はグリップと向い合ってロック解除され、引金シャフト５ａの周りで旋回できる。
【００５４】
図６、７に示す解放爪４５は、引金バー２７の後端部の左側に設けられる。この解放爪４５は、解放爪４５を発砲方向に対して横断方向に移動させる、グリップ２内に配備された解放爪支持軸４９の周りで枢動可能に設置される。グリップ２の追加の壁要素内に解放爪支持軸４９を配備することは公知であり、図示しない。解放爪４５は、逆鈎１９と係合するためにタブ形状となっている（次の段落を参照）その後方下側端部において左に屈曲し、またその後方上端部に、引金バー２７の上側タブ３１に向かって発砲方向に突出する突出部４７を備える。
【００５５】
逆鈎１９は、引金バー２７の後端部の領域において、撃針１７の下側の解放爪４５の上側突出部４７の左側に、引金バー２７に対して平行に設けられ、グリップ２内の支持軸１９ｂの周りで枢動可能に設置される。逆鈎１９の後端部では、突出部１９ｄが中央において後方へと突出する。突出部１９ｄの下側には、矩形に近い陥凹部が接続しており、これはその底部を、逆鈎１９のフック状端部１９ｅによって制限される（図１５参照）。解放爪４５は下側タブ状端部においてこの陥凹部に係合する（図６、７参照）。戻りばね１９ｃとして作用する、逆鈎１９の下側中央に設けられた圧縮ばね（図８〜１７参照）は、逆鈎１９をグリップ２内で下向きに支持する。グリップ２内でのこのような支持は、図９、１２、１４に概略的に示されている。逆鈎１９の前端部には、ピストル１の長手方向軸を横断して引金バー２７の方向に延在するスピゴット１９ａが設けられる。逆鈎１９の上側には、段差１９ｆが取り付けられる。
【００５６】
撃針１７は、撃針ガイド１８内において長手方向に変位可能な様式で設置され、またその前端部に撃針先端１７ｃを備える。撃針１７は撃針先端１７ｃから後方に向かって円錐状に厚くなって環状肩部１７ｄとなり、これは撃針ばね支持体として機能し、この撃針ばね支持体には直径が小さいセクション１７ｂが接続される。撃針ばね１７ｅは撃針１７を取り囲み、上記ばねはその前端部において肩部１７ｄ上に支持され、その後端部において、撃針ガイド１８に設けられた、撃針１７を取り囲む撃針ガイドスリーブ１８ａ上に支持される。撃針ガイドスリーブ１８ａは撃針１７の後端部をガイドする。撃針ガイドスリーブ１８ａはその下側に長手方向スロット１８ｂを有し、これはスリーブの長さの約４／５だけ延在し、撃針の突起１７ａがこの長手方向スロット１８ｂ内にガイドされる。
【００５７】
撃針ガイド１８はその後端部において、終端支持部品５８上に支持され、この終端支持部品５８の内部外形内に、上記撃針ガイド１８はばねで加圧されて沈み込み、従って上記撃針ガイド１８は、ロック式スライドの後部において垂直に変位可能にリンク内に設置された終端支持部品５８を、他のピストルにおいて公知の様式でロックする。
【００５８】
更に、撃針１７の後端部には、長手方向スロット１８ｂ内の撃針ガイドスリーブ１８ａを移動させる、下向きに突出した突起１７ａが設けられる。撃針ガイドスリーブ１８ａ内には、撃針戻りばね１７ｆが配設される。この撃針戻りばねは、その後端部において撃針突起１７ａ上に、及びその前端部において撃針ガイドスリーブ１８ａ上に支持され、発砲時に静止位置にある撃針１７を後方へと引き戻す。
【００５９】
初めに記載したように、逆鈎１９は撃発準備位置において、その後方上側端部が突起１７ａの運動経路に突出し、ピストル１のシリンダのコッキング及び回転時に、ロック式スライド７と共に漸進する撃針１７をその突起１７ａにおいて受承する。図５に示す撃発準備位置では、突起１７ａはその下側前端部において逆鈎１９の段差１９ｆに隣接し、上記段差１９ｆによって支持される。更に前進したロック式スライド７は、撃針ばね支持体１７ｄに対して公知の様式で張力を印加している。というのは、ロック式スライド７は上記更なる前進の間、撃針ガイドスリーブの前端部が撃針ばね１７を圧縮するように撃針ガイドスリーブ１８ａを支持するためである。引金機構はこの相互に作用可能な接続において発砲準備ができた状態となる。
【００６０】
図６、７は、逆鈎１９による撃針１７の解放の瞬間の、張力を印加された撃針１７を示す。引金５は、捩りばね５ｂ及びばね３７のばね力に対して後方へと作動される。ピン５ｄはピン５ｄ上に連結された引金バー２７を後方へと移動させ、ここで引金バーの前端部は、引金シャフトの周りの環状経路に沿って後方上側へと移動している。図５と比較して、引金バー２７の後端部は長手方向に後方下側へと変位し、引金バー２７の下側タブ２９は、切断器バー２１の陥凹部２４から後方へとガイドされ、従って引金バー２７の後端部を下向きに移動させる。このプロセスにおいて、引金バー２７の上側タブ３１はその後面において解放爪４５の突出部４７に衝突し、これによって上記爪は、その支持軸４９の周りの環状経路に沿って下側後方へと旋回する。このプロセスにおいて、解放爪４５は、その動作可能な係合により、戻りばね１９ｃのばね力に対して、逆鈎１９を支持軸４９の周りで下側後方へと旋回させる（図９ｆｆ参照）。その結果、突起１７ａは逆鈎１９の段差１９ｆから係合解除され、発砲のために自由に前方へと移動できる。運動経路の端部において、撃針１７はその先端１７ｃにおいて、図示されていない薬室５１内に設けられた実包の実包底部に衝突し、公知の様式で発射薬に着火する。
【００６１】
図８は、撃針が解放され薬室が空になったピストル１を示す。撃針ばね１７ｅはコッキング解除状態であり、撃針１７は、薬室５１からある距離の、その前方位置にある。撃針ばね１７ｅは肩部１７ｄ上に支持されているため、撃針ばね１７ｅは撃針１７を、図示されていない薬室内の実包の雷管に対して完全かつ恒常的には押圧しない。その代わり、弾丸が発砲される際、撃針１７はその慣性により、図８に示す位置を超えて進み、このプロセスにおいて、撃針ガイドスリーブ１８ａ内のその戻りばね１７ｆを圧縮する。前進後に薬室５１が空である場合、戻りばね１７ｆは、撃針頭部１７ｇが撃針ばね支持体１７ｄに当接するまで撃針１７を僅かに引き戻す。
【００６２】
引金５は図８の静置位置へと戻るように旋回される。このプロセスにおいて、ピン５ｄは、ピン５ｄに連結された引金バー２７を前方へと移動させ、ここで引金バーの前端部は、引金シャフト５ａの周りの環状経路上を前方下向きに移動する。引金バー２７の後端部は図５による初期位置に戻り、図８に図示されていない逆鈎１９及び解放爪４５も同様である。
【００６３】
撃針１７及びそのばね１７ｅをコッキングするために、逆鈎１９が突起１７ａから離れるまでロック式スライド７を引き戻さなければならない。その後ロック式スライドは再び解放されることになる。
【００６４】
ここで、自動装弾ピストル１の分解時に撃針ばねの張力印加を防止するためのデバイスの構造及び機能について、図９〜１７の助けを借りて説明する。分解時に撃針ばね１７ｅには張力が印加されないため、偶発的な発砲が不可能となる。
【００６５】
図９〜１７によると、撃針ばねの張力印加を防止するためのデバイスは、以下の構成部品を備える：引金５；分解シャフト１５；引金５に連結された引金バー２７；切断器バー２１；逆鈎１９；突起１７ａを有する撃針１７；ロック式スライド７。分解時のこれらの構成部品の相互作用について以下に説明する。
【００６６】
図９〜１１は、ロック式スライド７が閉鎖され、かつ撃針１７が撃発準備位置にある場合の、撃発準備位置の引金機構の一部を示す。図９（概略図）に図示されているロック式スライド７は前方位置にあり、この前方位置では、上記ロック式スライド７の前端部は砲身９と略同一平面上となる（図１も参照）。分解シャフト１５のハンドル１５ａは、ロック位置において水平に後方を向いており（図１０も参照）、初めに説明したようにピストル１の分解を防止する。
【００６７】
引金５はその上端部に、前方に突出した突起として構成された停止部材３５を備え、これは捩りばね５ｂによってばね加圧され、引金の静置位置において引金に予備応力を印加するばね３７は、分解シャフト１５の内周に当接する。
【００６８】
分解シャフト１５は、ここでは停止部材３５の前方並進運動、即ち引金５及び引金に連結された引金バー２７の前進運動を防止する。図１０、１１は、この状態を、それぞれピストル１の右側又は左側からある角度で見て示しているが、ロック式スライド７は図示されていない。分解シャフト１５の内部の後側には、好ましくはくさび形の陥凹部２３が設けられ、これは分解位置においてのみ、即ち分解シャフト１５がこの位置に回転されて停止部材３５の前進運動のための空間を形成する場合にのみ、停止部材３５に当接する（図１０〜１３参照）。
【００６９】
切断器バー２１は、その前端部において引金シャフト５ａの周りで枢動するように設置され、またその後端部に、おおよそ半円状の、タブ状陥凹部２４を備え、これはその前方領域に、タブ底部から隆起した段差２５を有する。切断器バー２１の、ロック式スライド７に対面する上側には、おおよそ台形の隆起部３３が構成される。これは、相補的な第１の前方陥凹部８又は第２の後方陥凹部８ａと係合するためにロック式スライド７に設けられる。ここで図示されているロック式スライドが閉鎖されている位置では、隆起部３３は後方陥凹部８ａと係合している。ロック式スライド７が後方に移動すると、ロック式スライド７はその非陥凹領域８ｂによって隆起部３３を超えて滑動し、隆起部３３を下向きに付勢し、その結果として切断器バー２１を、隆起部３３が前方陥凹部８と係合するスライド受承位置に達するまで、下向きに旋回させる（図１２参照）。
【００７０】
図９〜１３に示すコッキング解除位置では、引金バー２７は、その下側タブ２９によって、切断器バー２１の陥凹部２４を略中央において下側から把持し、段差２５から離間する。上側タブ３１は、引金バー２７に隣接して後方に配設された逆鈎１９の方向に、側方へと突出する。逆鈎１９のスピゴット１９ａは、タブ３１の前方に対してある程度オフセットされ、これによりこれら２つの要素は、引金バーの撃発準備位置において互いに係合しない。
【００７１】
図１２では、ロック式スライド７はスライド受承位置に引き込まれている。図９から進行して、ロック式スライド７を引き抜く際、略台形の後方スライド陥凹部８ａは、ある角度の後方への力の影響により、切断器バー２１の隆起部を超えて、その前方の確度付き偏向器を横切って滑動する。そしてロック式スライド７の非陥凹領域８ｂは、ロック式スライド７の引き抜き時に、隆起部３３が前方スライド陥凹部８と係合するまで、切断器バー２１を下向きに付勢する。図９では依然として切断器バー２１の隆起部３３と係合していた後方陥凹部８ａは、自由となる。上記引き抜き中、ロック式スライド７は、ロック式スライド７に沿って配設された撃針１７を後方へと移動させ、これにより撃針１７の突起１７ａは逆鈎１９との係合を解除される。この状態では撃針ばね１７はコッキング解除状態である。
【００７２】
図６、７に示すように、引金バー２７が逆鈎１９を解放し、撃針１７が薬室内に配置された実包に着火すると、スライドの非陥凹領域８ｂを超えてスライド７が戻る間に、切断器バー２１はその隆起部３３を超えて下向きに移動させ、切断器バー２１に当接する引金バー２７の下側ラッチ２９を超えて引金バーを移動させる。
【００７３】
その結果、引金バー２７の上側タブ３１は解放爪４５の陥凹部４５ａへと下向きに摺動し、その際、解放爪４５及び逆鈎１９は戻りばね１９ｃによってその初期受承位置へと戻され、ロックの前進運動中に再び撃針を受承できる。発砲後に引金を再び解放すると、引金バー２７の下側タブ２９は切断器バー２１の陥凹部２４へと戻るように摺動する。このプロセスにおいて、ばね３７は引金バー２７を、その初期位置（図５参照）へと上向きに押圧し、その結果として、引金バーの上側バー３１は解放爪４５の突出部４７に対して静置されることになり、コッキングされた撃針１７は、引金バー２７の上側タブ３１及び解放爪４５の突出部を介した引金の作動によって再び解放される。切断器バー２１は、その名称が示すように、半自動ロックの場合の切断器要素としても機能する。
【００７４】
図１２では、分解シャフト１５は依然としてロック位置にあり、従って引金５の段差３５は、引金捩りばね５ｂ及びばね３７の予備応力印加中に分解シャフト１５に当接し続けている。図１３はこの状態を、ある角度で上から示す。
【００７５】
図１４、１５は、分解時の撃針ばねの張力印加を防止するためのデバイスの分解位置を示す。図１２、１３とは対照的に、外側ハンドル１５ａ及びこれに伴って分解シャフト１５は、約９０°だけ時計回り方向に下向きに回転する。この回転の後、縁部２３ａを有する分解シャフト１５の陥凹部２３は、ばね加圧された停止部材３５に対面する。上記停止部材は、陥凹部２３の上側縁部２３ａに衝突するまで、引金捩りばね５ｂ及びばね３７の力の影響により、引金５と共に、引金シャフト５ａの周りの環状経路上を反時計回り方向に旋回する。引金５の初期位置は、図１４に点線で示されている。引金５はその旋回運動時、引金５に連結された引金バー２７を、図１４、１５に図示されている位置まで、前方へと移動させる。その結果、引金バー２７の下側タブ２９は、切断器バー２１の段差２５の下側に静置されることになり、引金バー２７の上側タブ３１は、逆鈎１９のスピゴット１９ａの上側に静置されることになる。ロック式スライドは依然としてその後方スライド受承位置にある。
【００７６】
図１６、１７もまた、分解中に撃針ばねの張力印加を防止するためのデバイスを、その分解位置において示し、また自動装弾ピストル１の分解のためにユーザが部分的に前方へとガイドするロック式スライド７を示す。図１４から進行して、ロック式スライド７の前進運動において、台形前方陥凹部８は、切断器バー２１の隆起部３３を横切る前方への力の影響により、左側後方の角度付き偏向器を横切って滑動する。ロック式スライド７の非陥凹領域８ｂの下側外形は、ロック式スライド７の更なる前進運動中に、隆起部３３を下向きに付勢し、これによって切断器バー２１を下向きに付勢する。引金バー２７はその下側タブ２９によって切断器バー２１の段差２５に当接するため、引金バーは同様に、切断器バー２１を介して下向きに移動され、またこのプロセスにおいて、分解シャフト１５の非ロック位置におけるロックの前進運動時に、その上側タブ３１によって、逆鈎１９の、スピゴット１９ａを介した同様に前方へと滑動する撃針の突起１７ａとの、スピゴット１９ａを介した係合を解除し、これにより撃針は受承されなくなり、またコッキングもされなくなる。ロック式スライド７の閉鎖位置では、隆起部３３は後方陥凹部８ａ内にあり、付勢されていない。ロック式スライド７を前方へ引くと、ロック式スライドの非陥凹領域８ｃが隆起部３３に衝突する。非陥凹領域８ｂ又は８ｃによる衝突中、分解位置の切断器バー２１は、タブ２９上の段差２５をタブ２９に嵌合するように付勢し、これによって引金バー２７を下向きに付勢する。このプロセスにおいて、上記引金バーはその上側タブ３１において逆鈎１９のスピゴット１９ａと嵌合するように係合し、陥凹部８及び非陥凹領域８ｂの場合に既に起こっているように、スピゴット１９ａを、戻りばね１９ｃの力に対向して、撃針１７上の突起１７ａの環状経路を外れて下向きに移動させ、ここでロック式スライド７のこの位置における撃針１７の突起１７ａはもはや逆鈎１９によって受承できない。対照的にロック位置では、分解シャフト１５は引金バー２７をその後方位置においてブロックし、これにより、引金が作動されていない場合に、その下側タブ２９は、段差２５に対して側方に、切断器バー２１の陥凹部２４内の略中央にオフセットされる（図９〜１３参照）。この位置では、陥凹部２４の深さが隆起部３３の高さに略対応し、これらの要素の嵌合接続が不可能となるため、切断器バー２１はタブ２９に衝突できない。また撃発準備位置では、引金バー２７のタブ３１はスピゴット１９ａに対して長手方向にオフセットされ（図９〜１３参照）、従ってスピゴット１９ａに衝突できない。
【００７７】
図１６、１７に示す個々の要素の分解位置において、逆鈎１９は撃針１７をその突起１７ａにおいて受承できず、従って撃針ばね１７ｅに張力を印加できないため、リスク無しにロック式スライド７を前方に引くことができる。
【００７８】
原理的には、ロック式スライド７の陥凹部８、８ａ及び切断器バー２１の隆起部３３を、他の幾何学的形状を有するように置換して、結果として同様に効果的な力の伝達を可能とすることができる。切断器バー２１の段差２５及び逆鈎１９上のスピゴット又は引金バー２７上のタブ２９、３１も同様に、デバイスの効率を制限することなく、他の機能的に適合する要素で置換できる。
【図１】
2017501368.tif 000003
【図２】
2017501368.tif 000004
【図３】
2017501368.tif 000005
【図４】
2017501368.tif 000006
【図５】
2017501368.tif 000007
【図６】
2017501368.tif 000008
【図７】
2017501368.tif 000009
【図８】
2017501368.tif 000010
【図９】
2017501368.tif 000011
【図１０】
2017501368.tif 000012
【図１１】
2017501368.tif 000013
【図１２】
2017501368.tif 000014
【図１３】
2017501368.tif 000015
【図１４】
2017501368.tif 000016
【図１５】
2017501368.tif 000017
【図１６】
2017501368.tif 000018
【図１７】
2017501368.tif 000019
【国際調査報告】
2017501368.tif 000020
2017501368.tif 000021
2017501368.tif 000022
2017501368.tif 000023
2017501368.tif 000024
2017501368.tif 000025